(57)【要約】【課題】  歯根管の深さを正確に測定する。【解決手段】  本発明は、歯の歯根管へのに歯科用具の進入深さを測定するためのアセンブリを提供し、これは、既治療の歯上へ締付て支えられるように構成されているベース要素と、前記ベース要素に取り付け可能であり、組立の際に、前記歯上に配置され、このことにより、使用時に、前記歯科用具の一部が電気的に接触させられる電気伝導ガイド部材とを備えており、前記ガイド部材が、さらに、頂点位置測定装置に接続可能な電気接点を有している。歯の歯根管へのに歯科用具の進入深さを連続的に測定するための方法も提供される。【選択図】  図１
2005224611.tif 000002
【特許請求の範囲】
【請求項１】
歯の歯根管への歯科用具の進入深さを測定するためのアセンブリであって、
既治療の歯上へ締付て支えられるように構成されているベース要素と、
前記ベース要素に取り付け可能であり、組立の際に、前記歯上に配置され、このことにより、使用時に、前記歯科用具の一部が電気的に接触させられる電気伝導ガイド部材と、
を備えており、
前記ガイド部材が、さらに、頂点位置測定装置に接続可能な電気接点を有しているアッセンブリ。
【請求項２】
請求項１に記載のアセンブリであって、さらに、前記ベース要素に連結されるように構成されたブラケットを備えており、前記ブラケットは、電気的に絶縁された材料でできているアセンブリ。
【請求項３】
請求項２に記載のアセンブリであって、前記ベース要素が、実質的にΩの形をした金属スプリング要素であり、これは、歯の2つの両側に締付可能であり、前記ブラケットが実質的に同一形状に形成されかつ前記要素に柔軟に締付可能であるアセンブリ。
【請求項４】
請求項１に記載のアセンブリであって、さらに、少なくとも間接的に固定的に前記部材を前記ベース要素に取付けるための締着具を備えているアセンブリ。
【請求項５】
請求項１に記載のアセンブリであって、前記ガイド部材が、前記歯科用具の一部を通過させる開口を有しているアセンブリ。
【請求項６】
請求項５に記載のアセンブリであって、前記ガイド部材が、2つの相互に連結した部分を有しており、その第１部分が前記ブラケットへの締付を容易にしている手段を含んでいおり、第２部分が前記開口を備えているアセンブリ。
【請求項７】
請求項５に記載のアセンブリであって、前記開口が、歯科用具の前記部分をクリアランスをもって通過させる幅を有する溝の形をしているアセンブリ。
【請求項８】
請求項６に記載のアセンブリであって、作動中に、前記第２部分が前記歯に接近した平面内をのびているアッセンブリ。
【請求項９】
請求項３に記載のアセンブリであって、前記ベース要素が、開口した脚を備えており、前記ブラケットが、前記開口と結合可能なペグに適合させられているアセンブリ。
【請求項１０】
請求項２に記載のアセンブリであって、前記ブラケットが、2つの相対させられた可撓性出張りを備えており、前記部材が、2つのマッチしているリップを備えており、これらの各々が前記出張りのうちの1つと結合可能であるアセンブリ。
【請求項１１】
請求項５に記載のアセンブリであって、少なくとも前記部材の開口部分が、ベース要素から横にずらされているアセンブリ。
【請求項１２】
請求項１に記載のアセンブリであって、前記ブラケットか、中間アーチ状部分および2つの側部肩部として構成されているアセンブリ。
【請求項１３】
請求項12に記載のアセンブリであって、前記ベース要素がアーチを備えており、前記ブラケットのアーチ部分が、前記アーチ上に固定されるように構成されているアセンブリ。
【請求項１４】
請求項１に記載のアセンブリであって、前記電気伝導ガイド部材は、屈曲導線でできているアセンブリ。
【請求項１５】
請求項14に記載のアセンブリであって、前記導線が、２つの側部ループと、前記開口部を定めている持上げられた中間屈曲部とを形成するために折曲げられているアセンブリ。    
【請求項１６】
請求項12および15に記載のアセンブリであって、前記肩部分に、前記ループを保持するための凹部が形成されているアセンブリ。
【請求項１７】
請求項15に記載のアセンブリであって、少なくとも一つの側部ループに、電気コネクタ用ソケットとして役立つ脚が形成されているアセンブリ。
【請求項１８】
請求項14に記載のアセンブリであって、前記ガイド部材が、真っ直ぐな導線であるアセンブリ。
【請求項１９】
請求項２に記載のアセンブリであって、前記ブラケットが、Ｕ形をなし、かつ、2本の平行に伸びている脚およびウェブを有しているアセンブリ。
【請求項２０】
請求項19に記載のアセンブリであって、前記ガイド部材は、電気装置のソケットと電気的に連結するための第１部分と、前記脚のうちの1本において伸びている第２部分と、前記ベース要素により固定される歯の上方を伸びている第3の部分とを有しているアセンブリ。
【請求項２１】
請求項20に記載のアセンブリであって、前記ガイド部材の第１部分が、装置の電気ソケットへの電気接点を形成するための屈曲端部を備えているアセンブリ。
【請求項２２】
請求項21に記載のアセンブリであって、前記屈曲端部は、弾力があり、複数の方向の曲げを容易にしているアセンブリ。
【請求項２３】
請求項19に記載のアセンブリであって、ベース要素が、切欠を形成したアーチ部を有しており、前記ウェブ部の幅が、前記切欠にはめ込まれる大きさであるアセンブリ。
【請求項２４】
歯の歯根管への歯科用具の進入深さを連続的に測定するための方法であって、
歯の上に電気伝導ガイド部材を締付けることと、
頂点位置測定装置を前記ガイド部材に接続することと、
ピン形をした導電部分を有する歯科用具と、電気伝導ガイド部材との間を接触させることとを備えた方法。
【請求項２５】
請求項24による方法であって、さらに、絶縁ブラケットを提供することと、前記ベース要素上に前記ブラケットを締付け固定することとを備えている方法。
【請求項２６】
請求項24による方法であって、前記ガイド部材が、前記歯の上側表面と関する複数の素性における接辞添加を容易にする開口を備えている方法。
【請求項２７】
歯の歯根管への歯科用具の進入深さを連続的に測定するための方法であって、
既治療の歯の上にベース要素を締付けることと、
伝導ガイド部材を提供することと、
前記歯の上で、整列させて、少なくとも間接的に前記伝導ガイド部材をベース要素上に取付けることと、
歯への歯科用具の進入深さを測定するための装置を接続することと、
ピン形をした電気伝導の部分を有する歯科用具を提供することと、
前記ピンおよびガイド部材の間を接触させることと、
を備えており、
それによって、ガイド部材と接触しているピンの前記伝導の部分にそった位置において、装置が、進入深さを測定しかつその表示を提供する方法。
【発明の詳細な説明】
【技術分野】
【０００１】
本発明は、歯科用具、より詳しくは、歯の歯根管への歯科用具の進入深さを測定しかつ表示するためのアッセンブリおよび方法に関する。
【背景技術】
【０００２】
例えば、歯根管治療のための歯への歯科用具の進入を測定しかつ表示する装置は、従来技術において、公知である。この種の装置は、頂点探査装置と呼ばれており、生物学的頂点の位置を識別するものであって、既治療の歯の上側表面にもたれて、歯科用具のシャフトに摺動自在に取付けられた、可撓性の、ディスク形をした深さストッパーと、歯が適応すると信じられる、予め定められた孔長との間の比較測定に基づいている。容易に理解されることは、歯の平坦でない波形の上側表面にもたれるか、または接触させられる可撓性ディスク形のストッパーのような参照マーク、ないし、その付属物を使用することは、0.5mmより少ない精度を達成することを必要とするときに、望ましくないことである。大事をとっているために、歯科医は0.5mmおよび1mm間で予防の距離を予め定められた頂点から引き、それによって、歯根管の端を無処置のままにし、これは、結局、将来の悪化が発生する源を構成する。
【発明の開示】
【発明が解決しようとする課題】
【０００３】
したがって、本発明の目的は、歯根管の深さを測定する既知の技術の上記の欠点を改善し、かつ、頂点位置をより正確に決定するためのアセンブリおよび方法を提供することにある。
【０００４】
本発明の更なる目的は、歯根管頂点を正確に決定するためのアセンブリおよび方法を提供する一方、歯根管における穿孔またはやすり仕上げの歯科用具を、歯科医による手動操作から開放することにある。
【課題を解決するための手段】
【０００５】
本発明によれば、歯の歯根管への歯科用具の進入深さを測定するためのアセンブリが提供され、これは、既治療の歯上へ締付て支えられるように構成されているベース要素と、前記ベース要素に取り付け可能であり、組立の際に、前記歯上に配置され、このことにより、使用時に、前記歯科用具の一部が電気的に接触させられる電気伝導ガイド部材とを備えており、前記ガイド部材が、さらに、頂点位置測定装置に接続可能な電気接点を有しているものである。
【０００６】
本発明は、さらに、歯の歯根管への歯科用具の進入深さを連続的に測定するための方法を提供し、これは、歯の上に電気伝導ガイド部材を締付けることと、頂点位置測定装置を前記ガイド部材に接続することと、ピン形をした導電部分を有する歯科用具と、電気伝導ガイド部材との間を接触させることとを備えたものである。
【０００７】
本発明は、また、さらに、歯の歯根管への歯科用具の進入深さを連続的に測定するための方法を提供し、これは、既治療の歯の上にベース要素を締付けることと、伝導ガイド部材を提供することと、前記歯の上で、整列させて、少なくとも間接的に前記伝導ガイド部材をベース要素上に取付けることと、歯への歯科用具の進入深さを測定するための装置を接続することと、ピン形をした電気伝導の部分を有する歯科用具を提供することと、前記ピンおよびガイド部材の間を接触させることとを備えており、それによって、ガイド部材と接触しているピンの前記伝導の部分にそった位置において、装置が、進入深さを測定しかつその表示を提供するものである。
【発明を実施するための最良の形態】
【０００８】
本発明は、今や、以下に図解される図面に関して、特定の好ましい実施例と関連して記載され、その結果、それはより完全に理解されることであろう。
【０００９】
詳細について、図面を特に参照すると、示される詳細が実施例として、そして、本発明だけの好ましい実施例に関する図示する議論のためにあって、最も役立つと思われていることを提供することのために示されて、容易に原理および概念上の本発明の態様の説明を理解したと強調される。この点に関しては、本発明の基礎知識のために必要であるより、試みは更に詳細に本発明の構造的詳細を示すためではなく、そして、本発明の幾つかの形態が現実にどのように具体化されるかが、当業者にとって明らかになる図面について説明がなされる。
【００１０】
本発明による歯への歯科用具の進入深さを測定するためのアセンブリ2は、図1において、例示されている。また、電子頂点位置探査装置4が例示されており、これは、処理の間、歯科用具の、歯への進入深さを連続的に処理するか、表示するか、または、別途示す。
【００１１】
図示のように、装置4は、好ましくはプラグ6およびソケット8によって、アセンブリに電気的に接続可能であるが、装置4は、プラグ6の接続ポイントである10に配置されたソケット（図示せず）に接続した方が良いかも知れない。装置4は、それそのものは既知であり、本発明によるアセンブリ2の一部を構成しないので、更なる詳細な説明は必要でない。  ここで、また、アセンブリ2の好ましい実施例を詳細に示している図2および3を参照して、図面は、アセンブリ2を構成される3つの主要コンポーネントを例示するとともに、事実、本発明が、すなわち、ベース要素12および電気伝導ガイド部材14を有する2つのコンポーネントだけで理解されることを指摘しなければならない。第3のオプションのブラケット16は、便利に2つの目的にかなう。ガイド部材14をベース12に固定することと、強度を考慮して、通常金属でできているベース12から金属製ガイド部材14を絶縁することである。
【００１２】
ベース12は、Ωの形をしており、その２つの脚18、20が歯22を両側から締付けるようになっており、歯22の上側表面を不明瞭にしないために、そのアーチ部分24の平面が脚18、20から横にずらされて配置されている。
【００１３】
ガイド部材14は、2つの相互に連結した部分を有しており、その第１部分26には、ネジ30によって、少なくとも間接的にベース要素12へのその接続を容易にしている開口28が形成されている。第２部分32の平面は、組立の際に、歯22の上側表面に極めて接近するように、第１部分26の平面から、垂直方向にずらされている。部分32は、例えば、穴または溝の形をした開口部34を有しており、その直径または幅は、例えば、穿孔かやすり仕上げ用具のような標準歯科用具38のシャフト36がクリアランスをもって通過させられるようになっている。
【００１４】
ブラケット16は、絶縁材でできており、好ましくは、同じように、Ωの形をしており、
その相対する両側がベース要素12のアーチ部分24の側面にまたがり、その平坦頂部40がアーチの頂部に接触するように構成されている。ブラケット16が用いられる場合、ガイド部材14は、ブラケットにねじ止めされるか、またはねじ穴42によって連結される。ブラケット16のフランジ44、46は、ベース要素12上へ固定的にブラケット16を締めるために、脚18、20の穴52、54へ圧入されたペグ48、50を備えている。
【００１５】
ブラケット16の代わりに、ガイド部材14がそれが金属製ベース要素12と接触する部分で絶縁されるうることであり、であるから、短絡せずに、ガイド部材14がベース要素12上へ直接連結されることは、今や、理解できるであろう。明らかに、ガイド部材14は、同様に、ベース要素12に良好なサポートを提供している絶縁された側部部分でつくることができる。
【００１６】
アセンブリ2を使用する好適な方法は、今や、図4を参照しながら説明される。第１に、 ベース要素12は、適切なツールを用いて、歯22の回りに締付られ、このために、有利には、ツールの端は脚18、20に形成された穴52、54に挿入される。ベース要素12が歯22の回りに締付られた後、ガイド部材14はブラケット16にねじ止められ、そして、結合ユニットがベース要素12にプレスフィットされる。歯の、必要な穿孔およびやすり仕上げ位置の上に溝を整列配置するために、開口28は、矢印矢Aの方向に、歯22の上でのガイド部材14の微動調節を可能とし、同時に、矢印Bにより示されるように、それが旋回することを可能とする。プラグ6は、ソケット8に挿入され、今や、アセンブリ2は、歯科用具38のシャフト36に適合される。
【００１７】
穿孔またはやすり仕上げにおいて、シャフト36は連続的または断続的に開口部34の側壁と接触し、それによって、頂点位置探査装置4の電気回路を閉じてかつ作動させる。それは、2本の電極間のインピーダンス測定値に基づいて作動させられ、その第一電極は、ガイド部材14の開口部34との接触させられた、用具38のシャフト36の位置により構成され、その第二電極は、電極56（図1）により構成されており、その測定値は頻度に従い異なる。用具38のシャフト36が頂点に接近するにつれて、装置4はインピーダンスの変化をモニタする。測定が実行されて、例えば、国際特許出願番号第PCT/IL02/00556号から公知である頂点位置探査装置4により示される。
【００１８】
図5は、本発明の他の実施例によるベース要素12を示し、これは、例えば、プラスチックまたはプラスチック被覆絶縁材料でできており、この上にはネジ30によって、ガイド部材14が直接取付けられている。また、頂点位置探査装置4（図示せず）の適切なソケット8に電気的に接続するためのプラグ58が見られる。
【００１９】
図5の実施例のわずかな変更態様は、図6〜8に示される。したがって、ベース要素12には可撓性出張り60、62が形成され、そして、橋状伝導ガイド部材14には、出張り60、62の湾曲と実質的にマッチさせられた内向き湾曲リップ64、66が形成されている。ベース要素12およびガイド部材14間の接続は、図7および8にて図示したように、2つの段階において遂行される。第１に、ガイド部材14の一方の側のリップは1つの出張りに掛けられ、出張り62へそのリップ66が、そして、その後で、他のリップ64は出張り60の位置に押圧される。導電素子14は、使用の間、矢印Cの方向に移動しうる。図1〜5のガイド部材14がベース要素12上を横切る一方、図6〜8のガイド部材14はそれに対して平行にのびる。しかしながら、いずれの場合においても、ガイド部材14の開口部34は、歯22より上に位置させられて、ベース要素12によって隠されない。
【００２０】
更なる変更態様は、図9および10において、例示されている。この実施例のアッセンブリは、図2の実施例と良く似ていて、3つのパーツからなる。それは、標準のベース要素12と、電気的不導体ブラケット68と、有利には、屈曲電線でできている弾性電気伝導ガイド部材70とである。ブラケット68は、アーチ状部分72および2つの側部の肩74、76からなり、かつ、少なくともそれのアーチ状部分24にまたがって、それによって、固定的に保持されるために、ベース要素12上に圧入されるように構成されている。ブラケット68の肩74、76の横方向の外表面に凹部78、80が備えられ、これは、弾性伝導ガイド部材70の外側ループ82、84を保持するためのものである。ループ82、84には、突起86、88が形成され、これらは、ソケットとして役立ち、これには、電子頂点位置探査装置4（図1）に導かれるフック状電気導体90が差し込み可能である。図面に示すように、導線の屈曲部分でできているガイド部材70の中間部92は、開口部94を定めており、これは、歯科用具38のシャフト36を貫通させかつ開口部94を定める導線と接触しうる。ループ82、84のレベルより高いレベルに配置された中間部92およびループ82、84は、導線部分96、98によって相互に接続されている。
【００２１】
しかし、本発明の更なる変更態様は、図11および12において、例示されている。それが屈曲金属導線により構成された電気伝導ガイド部材100を利用するという点で、この変更態様は図9および10のそれと類似している。そして、アセンブリは、3つのパーツからなる。それは、ベース要素12と、電気的不導体ブラケット102と、弾性伝導ガイド部材100とである。ブラケット102は、Ｕ字状をなし、かつ、2本の平行に伸びている脚104、106およびウェブ部108を有する。脚104、106自身の間に溝110が区画されており、その大きさは、ベース要素12のアーチ状部分24に対応するように設定されている。上部脚104は、その前方エッジ112で始まっていて、頂面114で終わっている貫通穴を有している。穴のサイズは、実質的に伝導ガイド部材100の直径と同一であると計画されている。図11に示すように、伝導ガイド部材100は、3つの主要部分を有している。その第１部分116は、組立時に、114で穴を通って上部脚104から突出して、その部分は、有利には、電子頂点位置探査装置4（図1を参照）に導かれるソケット120との接続のための曲げ端部118を備えてい。第２部分122は、脚104の内部をのびかつ前方エッジ112を出るように構成されている。第3部分124は、ベース要素12の脚部18、20の間に挟まれた歯22の上方を伸びている。部分124は、また、歯22の方向に、部分122から垂直方向に接続部126によってずらされており、また、屈曲延長部128を備えている。
【００２２】
理解されかつ図に示されるように、不導体ブラケット102は、好ましくは、例えば、ガイド部材100と共に鋳造することによってつくられる。ブラケット102は、ガイド部材100とともに、ベース要素12のアーチ状部分24上へ圧力下の元に滑り込まされる。使用の間、ブラケット102が適所にとどまることを保証するために、アーチ状部分24に切欠130を提供することが可能であり、それは、図12で分かるように、ブラケット102のウェブ部分108の幅と同様の幅を有し、ウェブ部108の両側132に対して当接するためのものである。部材100の部分116は、弾力があり、であるから、矢印Dによって示されるように、全ての方向およびいかなる便利な角度にも揺動することができて、この位置において保持され、そのことはユーザによって便利である。使用中は、歯科用具38のシャフト36は部材100の部分124と電気的に接触させられ、そして、電気信号を、例えば、頂点位置測定装置のような電子装置4へ導く。
【００２３】
本発明が前述の例示の実施例の詳細に限られていないことが、そして、本発明が趣旨またはそれの基本的属性から逸脱することなく、他のいろいろな形で実施されることができることが、当業者に明らかである。本実施例は、従って、例示的であり限定的でない様に、あらゆる点で考慮されることになっている。そして、本発明の範囲がむしろ添付の請求の範囲によって示され、前述の説明および全ての変更が、請求項の意味および同等の範囲の中に受け入れられる。
【図面の簡単な説明】
【００２４】
【図１】本発明による、歯の歯根管への歯科用具の進入深さを測定するためのアセンブリの斜視図である。
【図２】同アッセンブリの、図1の組立ての拡大分解図である、
【図３】歯に搭載された同アセンブリの側面図である
【図４】同アセンブリを歯に載置する段階を示す図である。
【図５】本発明の他の実施例の斜視図である。
【図６】本発明の更なる実施例の斜視図である。
【図７】図6に示されるアセンブリを組立ることにおけるステップを例示している側面図である。
【図８】図７とは別のステップを例示する側面図である。
【図９】本発明の変更態様の分解図である。
【図１０】図9のアッセンブリの斜視図である。
【図１１】本発明の更なる変更態様の分解図である。
【図１２】図11の実施例の斜視図である。
【符号の説明】
【００２５】
２  アッセンブリ
４  頂点位置探査装置
６  プラグ
８  ソケット
12  ベース要素
14  ガイド部材
16  ブラケット
22  歯
36  シャフト
38  歯科用具
【図１】
2005224611.tif 000003
【図２】
2005224611.tif 000004
【図３】
2005224611.tif 000005
【図４】
2005224611.tif 000006
【図５】
2005224611.tif 000007
【図６】
2005224611.tif 000008
【図７】
2005224611.tif 000009
【図８】
2005224611.tif 000010
【図９】
2005224611.tif 000011
【図１０】
2005224611.tif 000012
【図１１】
2005224611.tif 000013
【図１２】
2005224611.tif 000014